(57)【要約】【課題】デジタルテレビなどの制御機器と所定のＩ／Ｆを介して接続可能なＡＶ機器において、ＡＶ機器が実装する機能モジュールを、制御機器が対応する他の機能モジュールの制御情報により制御可能とすると共に、その制御機器が対応する他の機能モジュールに統合してリスト表示する。【解決手段】ＡＶ機器１は、ＡＶ−ＨＤＤやＢｌｕ−ｒａｙ  Ｄｉｓｃなどの機能モジュール３，４と、機能モジュール３，４以外の他の機能モジュール（Ｄ−ＶＨＳなど）を制御可能な制御機器（チューナ内蔵デジタルテレビなど）とＩＥＥＥ１３９４Ｉ／Ｆを介して接続する手段と、その制御機器からの制御情報を変換して機能モジュール３，４を制御する擬似機能モジュール２とを備える。擬似機能モジュール２は、機能モジュール３，４（ＡＶ−ＨＤＤ，Ｂｌｕ−ｒａｙ  Ｄｉｓｃ）を、前記他の機能モジュール（Ｄ−ＶＨＳ）に統合してリスト表示させる。【選択図】図１
2006108837.tif 000002
【特許請求の範囲】
【請求項１】
少なくとも１つの機能モジュールと、該機能モジュール以外の他の機能モジュールを制御可能な制御機器と所定のインタフェースを介して接続する手段と、前記制御機器からの制御情報を変換して前記機能モジュールを制御する制御手段とを備えたＡＶ機器において、該ＡＶ機器が備える機能モジュールを、前記他の機能モジュールに統合してリスト表示させる手段を備えていることを特徴とするＡＶ機器。
【請求項２】
請求項１に記載のＡＶ機器において、前記ＡＶ機器が備える機能モジュールに対して前記制御機器から制御される順番を設定する手段を備え、前記制御手段は、前記設定された順番に従って前記機能モジュールを制御することを特徴とするＡＶ機器。
【請求項３】
請求項１又は２に記載のＡＶ機器において、前記ＡＶ機器が備える機能モジュールは、ディスク状の記録媒体を駆動する手段からなり、前記制御情報は、テープ状の記録媒体を制御するための情報であることを特徴とするＡＶ機器。
【請求項４】
請求項３に記載のＡＶ機器において、前記ＡＶ機器が備える機能モジュールの中から残りの記録容量が多い順に機能モジュールを選択する手段を備え、前記制御手段は、前記選択された機能モジュールを制御することを特徴とするＡＶ機器。
【請求項５】
請求項１又は２に記載のＡＶ機器において、前記ＡＶ機器が備える機能モジュールを制御可能な制御機器と前記インタフェースを介して接続可能とし、前記機能モジュールは、ディスク状の記録媒体を駆動する手段からなり、前記制御手段は、前記制御機器からの制御情報がテープ状の記録媒体を制御するための情報の場合、該情報により前記ディスク状の記録媒体を制御できるように変換処理を行い、前記制御機器からの制御情報がディスク状の記録媒体を制御するための情報の場合、該情報により前記ディスク状の記録媒体を制御することを特徴とするＡＶ機器。
【請求項６】
請求項５に記載のＡＶ機器において、前記テープ状の記録媒体を制御するための情報により前記ディスク状の記録媒体を制御するモードと、前記ディスク状の記録媒体を制御するための情報により前記ディスク状の記録媒体を制御するモードとを切り換えるモード切換手段を備えていることを特徴とするＡＶ機器。
【請求項７】
請求項１に記載のＡＶ機器において、前記制御情報は、前記制御機器を操作するための操作入力手段から入力されることを特徴とするＡＶ機器。
【請求項８】
請求項１に記載のＡＶ機器において、前記インタフェースは、ＩＥＥＥ１３９４に準拠するインタフェースであることを特徴とするＡＶ機器。
【発明の詳細な説明】
【技術分野】
【０００１】
本発明は、ＡＶ機器、より詳細には、ネットワーク上のプロトコル伝送を受けて他の機器から制御される複数の機能を有するＡＶ機器に関する。
【背景技術】
【０００２】
既に発売されている製品（例えば、Ｒｅｃ−ＰＯＴ（登録商標）、アイ・オー・データ機器製）において、実際にはＡＶ−ＨＤＤでありながら、見かけ上Ｄ−ＶＨＳとして振舞うことにより、過去に発売されたＤ−ＶＨＳコントローラのみを実装したＴＶやＳＴＢからＩＥＥＥ１３９４のＡＶ／ＣコマンドのＴａｐｅ  Ｓｕｂｕｎｉｔ用コマンド（テープの再生／録画／早送り／巻き戻しなどを制御する）を用いて制御する手法が実現されている。
【０００３】
また、上記製品はＢＭＬ（Ｂｒｏａｄｃａｓｔ  Ｍａｒｋｕｐ  Ｌａｎｇｕａｇｅ）を用いて自身に記録された録画コンテンツのリストを生成してＭＰＥＧ２−ＴＳに重畳して出力し、ユーザが録画リストを記録機器側のリモコンで制御し、コンテンツを選択することができる。これらの従来技術では、ユーザはＴＶ画面に表示されたＤ−ＶＨＳ制御画面を用いて、実装されているＡＶ−ＨＤＤをＤ−ＶＨＳとして制御するが、その操作には２つのリモコンが必要である。
【発明の開示】
【発明が解決しようとする課題】
【０００４】
しかしながら、上記手法では、ある記録メディアを対象とする機能モジュール毎に１つの操作対象として見せるため、機能モジュールを複数実装した場合に、ユーザから見ると同一機器内に同じ機能モジュールが複数存在するように見えてしまい、実際にどの記録メディアを制御しているか判別が難しい、また、機器の操作に複数のリモコンを使い分ける必要があり、ユーザにとって操作が分かりづらい、などの理由から、今後、複数の新機能を実装した機器が出た場合に、古い制御機能（例えば、ＶＨＳのみ）しか持たない機器を有するユーザはその機器の制御を容易に行なうことができない。
【０００５】
図５は、従来の機能モジュールを複数実装したＡＶ機器の構成例を示す図で、図中、１００はＡＶ機器で、該ＡＶ機器１００は、擬似機能モジュール１０１，機能モジュール１０２，擬似機能モジュール１０３，機能モジュール１０４を備えている。ＡＶ機器１００として、例えば、ＡＶ−ＨＤＤ（機能モジュール１０２）／Ｂｌｕ−ｒａｙ  Ｄｉｓｃ（機能モジュール１０４）を備える複合機を代表例として説明する。このＡＶ機器１００は、図示しないデジタルテレビジョン装置とＩＥＥＥ１３９４Ｉ／Ｆで接続され、デジタルテレビジョン装置の制御画面からＩＥＥＥ１３９４のＡＶ／Ｃコマンドで制御される。
【０００６】
機能モジュール１０２（ＡＶ−ＨＤＤ）、機能モジュール１０４（Ｂｌｕ−ｒａｙ  Ｄｉｓｃ）は、通常では個々にＤｉｓｃ  ＳｕｂｕｎｉｔとしてＡＶ機器（Ｕｎｉｔ）１００内部に存在する。しかし、過去に市場に供給されているデジタルテレビジョン装置では、Ｔａｐｅ  Ｓｕｂｕｎｉｔを持つＤ−ＶＨＳは制御可能であるが、ＡＶ−ＨＤＤやＢｌｕ−ｒａｙ  Ｄｉｓｃ等のＤｉｓｃ  Ｓｕｂｕｎｉｔを制御する術を持たない。
【０００７】
そこで、図５に示すように、これら２つのＤｉｓｃ  Ｓｕｂｕｎｉｔ（機能モジュール１０２及び機能モジュール１０４）をそれぞれＴａｐｅ  Ｓｕｂｕｎｉｔコマンドで制御して擬似的にＤ−ＶＨＳとして動作するように、擬似機能モジュール１０１及び擬似機能モジュール１０３を実装する。このようにモジュールを実装した結果、ＡＶ機器１００と接続されたデジタルテレビジョン装置に表示される使用機器リストを下記の図６に示す。
【０００８】
図６は、従来のＡＶ機器１００と接続されたデジタルテレビジョン装置に表示される使用機器リストを示す図である。このように、従来の使用機器リストには同一機器名（ＤＶ−ＨＲＤｘｘｘ）のＤ−ＶＨＳが、機能モジュール１０２，１０４に対応して２つ表示される。これは、各機能モジュール（１０２，１０４）にそれぞれＤ−ＶＨＳの擬似機能モジュール（１０１，１０３）が実装されているためである。このうち、一方は機能モジュール１０２（ＡＶ−ＨＤＤ）と、他方は機能モジュール１０４（Ｂｌｕ−ｒａｙ  Ｄｉｓｃ）と関連付けられているが、使用機器リストにはどちらも同一モデル名（ＤＶ−ＨＲＤｘｘｘ）のＤ−ＶＨＳとして表示されるため、このリスト表示を見ただけではユーザにはどちらのＤ−ＶＨＳが、どちらのＤｉｓｃメディア（ＡＶ−ＨＤＤあるいはＢｌｕ−ｒａｙ  Ｄｉｓｃ）と関連付けられているのか判断が付かない。
【０００９】
本発明は、上述のごとき実情に鑑みてなされたものであり、デジタルテレビジョン装置などの制御機器と所定のインタフェースを介して接続可能なＡＶ機器において、ＡＶ機器が実装する機能モジュール（ＡＶ−ＨＤＤ，Ｂｌｕ−ｒａｙ  Ｄｉｓｃなど）を、制御機器が対応する他の機能モジュール（Ｄ−ＶＨＳなど）の制御情報により制御可能とすると共に、その制御機器が対応する他の機能モジュールに統合してリスト表示できるようにすること、を目的としてなされたものである。
【課題を解決するための手段】
【００１０】
上記課題を解決するために、本発明の第１の技術手段は、少なくとも１つの機能モジュールと、該機能モジュール以外の他の機能モジュールを制御可能な制御機器と所定のインタフェースを介して接続する手段と、前記制御機器からの制御情報を変換して前記機能モジュールを制御する制御手段とを備えたＡＶ機器において、該ＡＶ機器が備える機能モジュールを、前記他の機能モジュールに統合してリスト表示させる手段を備えていることを特徴としたものである。
【００１１】
第２の技術手段は、第１の技術手段において、前記ＡＶ機器が備える機能モジュールに対して前記制御機器から制御される順番を設定する手段を備え、前記制御手段は、前記設定された順番に従って前記機能モジュールを制御することを特徴としたものである。
【００１２】
第３の技術手段は、第１又は第２の技術手段において、前記ＡＶ機器が備える機能モジュールは、ディスク状の記録媒体を駆動する手段からなり、前記制御情報は、テープ状の記録媒体を制御するための情報であることを特徴としたものである。
【００１３】
第４の技術手段は、第３の技術手段において、前記ＡＶ機器が備える機能モジュールの中から残りの記録容量が多い順に機能モジュールを選択する手段を備え、前記制御手段は、前記選択された機能モジュールを制御することを特徴としたものである。
【００１４】
第５の技術手段は、第１又は第２の技術手段において、前記ＡＶ機器が備える機能モジュールを制御可能な制御機器と前記インタフェースを介して接続可能とし、前記機能モジュールは、ディスク状の記録媒体を駆動する手段からなり、前記制御手段は、前記制御機器からの制御情報がテープ状の記録媒体を制御するための情報の場合、該情報により前記ディスク状の記録媒体を制御できるように変換処理を行い、前記制御機器からの制御情報がディスク状の記録媒体を制御するための情報の場合、該情報により前記ディスク状の記録媒体を制御することを特徴としたものである。
【００１５】
第６の技術手段は、第５の技術手段において、前記テープ状の記録媒体を制御するための情報により前記ディスク状の記録媒体を制御するモードと、前記ディスク状の記録媒体を制御するための情報により前記ディスク状の記録媒体を制御するモードとを切り換えるモード切換手段を備えていることを特徴としたものである。
【００１６】
第７の技術手段は、第１の技術手段において、前記制御情報は、前記制御機器を操作するための操作入力手段から入力されることを特徴としたものである。
【００１７】
第８の技術手段は、第１の技術手段において、前記インタフェースは、ＩＥＥＥ１３９４に準拠するインタフェースであることを特徴としたものである。
【００１８】
本発明は、過去に発売されたデジタルテレビジョン装置などの制御機器でサポートしていない記録メディア（例えば、ＡＶ−ＨＤＤ，Ｂｌｕ−ｒａｙ  Ｄｉｓｃなど）を対象とする機能モジュールを１つ以上実装するＡＶ機器において、全ての機能モジュールを統合し、これら全ての機能モジュールを、制御機器でサポートしている機能モジュールとしてリスト表示することにより、ユーザは制御機器のコントロールパネルからあたかも１つの機能モジュールを制御しているように複数の機能モジュールを違和感無く制御することが可能となる。
【００１９】
また、制御機器及び被制御機器双方の間で何らかの手段によりコンテンツリストを表示する機能を有する場合において、複数の記録メディア内のコンテンツリストを統合して１つのリストに表示することにより、制御機器がサポート可能な記録メディアにコンテンツが連続して記録されているかのように扱うことが可能となる。
【００２０】
さらに、コンテンツを録画する場合、例えば、片方の記録メディアに優先的に録画を行ない、当該記録メディアの空き容量が少ない場合はもう一方の記録メディアに録画するような実装を行なうことで、記録メディアの残容量不足による録画失敗を防止することができる。
【発明の効果】
【００２１】
本発明によれば、デジタルテレビジョン装置などの制御機器と所定のインタフェースを介して接続可能なＡＶ機器において、ＡＶ機器が実装する機能モジュール（ＡＶ−ＨＤＤ，Ｂｌｕ−ｒａｙ  Ｄｉｓｃなど）を、制御機器が対応する他の機能モジュール（Ｄ−ＶＨＳなど）の制御情報により制御可能とすると共に、その制御機器が対応する他の機能モジュールに統合してリスト表示できるため、ユーザは機器選択時に混乱することがなくなる。
【発明を実施するための最良の形態】
【００２２】
図１は、本発明の機能モジュールを複数実装したＡＶ機器の構成例を示す図で、図中、１はＡＶ機器で、該ＡＶ機器１は、擬似機能モジュール２，機能モジュール３，機能モジュール４を備えている。ＡＶ機器１として、例えば、ＡＶ−ＨＤＤ（機能モジュール３）／Ｂｌｕ−ｒａｙ  Ｄｉｓｃ（機能モジュール４）を備える複合機を代表例として説明する。このＡＶ機器１は、図示しないデジタルテレビジョン装置などの制御機器とＩＥＥＥ１３９４Ｉ／Ｆにより接続され、デジタルテレビジョン装置の制御画面からＩＥＥＥ１３９４のＡＶ／Ｃコマンドで制御される。本発明のＡＶ機器１は、ＡＶ−ＨＤＤ／Ｂｌｕ−ｒａｙ  Ｄｉｓｃ複合機に限定されず、例えば、ＤＶＤや，リムーバブルハードディスク，メモリカードなどの各種記録媒体を備えた機器としてもよい。また、ＡＶ機器１は、デジタル／アナログ放送を受信するためのチューナを内蔵したデジタルテレビジョン装置の他に，チューナ単体，ＳＴＢなどとＩＥＥＥ１３９４Ｉ／Ｆにより接続可能とする。
【００２３】
背景技術で説明した図５において、ＡＶ−ＨＤＤ，Ｂｌｕ−ｒａｙ  Ｄｉｓｃは通常では個々にＤｉｓｃ  Ｓｕｂｕｎｉｔとして機器（Ｕｎｉｔ）内部に存在する。しかしながら、過去に市場に供給されているデジタルテレビジョン装置では、Ｔａｐｅ  Ｓｕｂｕｎｉｔを持つＤ−ＶＨＳは制御可能であるが、ＡＶ−ＨＤＤやＢｌｕ−ｒａｙ  ＤｉｓｃなどのＤｉｓｃ  Ｓｕｂｕｎｉｔを制御する術（すなわち、制御コマンド）を持たない。そこで、これら２つのＤｉｓｃ  ＳｕｂｕｎｉｔをそれぞれＴａｐｅ  Ｓｕｂｕｎｉｔコマンドで制御出来るようにして、デジタルテレビジョン装置のユーザには、ＡＶ−ＨＤＤやＢｌｕ−ｒａｙ  Ｄｉｓｃなどが見かけ上Ｄ−ＶＨＳとして動作しているように見せる。
【００２４】
その結果、図６に示したように、使用機器リストには同一機器名（ＤＶ−ＨＲＤｘｘｘ）のＤ−ＶＨＳが２つ表示される。このうち、一方はＡＶ−ＨＤＤであり、他方はＢｌｕ−ｒａｙ  Ｄｉｓｃと関連付けられているが、使用機器リストにはどちらも同一のモデル名（ＤＶ−ＨＲＤｘｘｘ）のＤ−ＶＨＳとして表示されるため、このリスト表示を見ただけではユーザにはどちらのＤ−ＶＨＳがどちらのＤｉｓｃメディアと関連付けられているのか判断できない。
【００２５】
そこで、本発明では、これら複数のＤｉｓｃ  Ｓｕｂｕｎｉｔを１つのＴａｐｅ  Ｓｕｂｕｎｉｔに統合して、１つのモデル名（ＤＶ−ＨＲＤｘｘｘ）のＤ−ＶＨＳとして使用機器リストに表示させるために、複数の機能モジュール３（ＡＶ−ＨＤＤ），機能モジュール４（Ｂｌｕ−ｒａｙ  Ｄｉｓｃ）に対応させて、１つの擬似機能モジュール２（Ｄ−ＶＨＳ）を実装する。
【００２６】
すなわち、ＡＶ機器１は、機能モジュール３（ＡＶ−ＨＤＤ），機能モジュール４（Ｂｌｕ−ｒａｙ  Ｄｉｓｃ）と、機能モジュール３，４以外の他の機能モジュール（Ｄ−ＶＨＳ）を制御可能な制御機器（チューナ内蔵デジタルテレビなど）とＩＥＥＥ１３９４Ｉ／Ｆを介して接続する手段と、その制御機器からの制御情報を変換して機能モジュール３，４を制御する擬似機能モジュール２（Ｄ−ＶＨＳ）とを備える。擬似機能モジュール２は、機能モジュール３（ＡＶ−ＨＤＤ），機能モジュール４（Ｂｌｕ−ｒａｙ  Ｄｉｓｃ）を、上記他の機能モジュール（Ｄ−ＶＨＳ）に統合してリスト表示させる。
【００２７】
図２は、本発明のＡＶ機器１と接続されたデジタルテレビジョン装置に表示される使用機器リストの一例を示す図である。図１に示したように、機能モジュール３，４に対応させて、１つの擬似機能モジュール２を実装することで、使用機器リストには機器名（ＤＶ−ＨＲＤｘｘｘ）のＤ−ＶＨＳが、機能モジュール３，４に対応して１つだけ表示される。このように、使用機器リストにはＤ−ＶＨＳが１つのみ表示されるようになり、ユーザが機器選択時に混乱することが無くなる。この使用機器リストは、ＡＶ機器１からの情報に従って、デジタルテレビジョン装置が備えるＯＳＤ処理部で生成され、画面上に表示される。
【００２８】
図３は、本発明の一実施形態に係るＡＶ機器１の構成例を示すブロック図で、ＡＶ機器１は、ネットワークインタフェース（Ｉ／Ｆ）部１１，メイン制御部１２，統合制御部１３，モード切換ＳＷ１４，ストリーム統合制御部１５，第１の駆動手段１６，第２の駆動手段１７を備えている。第１の駆動手段１６及び第２の駆動手段１７は、例えば、ＡＶ−ＨＤＤや、Ｂｌｕ−ｒａｙ  Ｄｉｓｃなどの記録媒体を駆動するための手段であって、以下、第１の駆動手段１６をＡＶ−ＨＤＤを駆動するための手段（以下、ＡＶ−ＨＤＤ１６）、第２の駆動手段１７をＢｌｕ−ｒａｙ  Ｄｉｓｃを駆動するための手段（以下、Ｂｌｕ−ｒａｙ  Ｄｉｓｃ１７）とし、これらを代表例として説明する。
【００２９】
ＡＶ−ＨＤＤ１６は、メディア制御部１６ａ，機構制御部１６ｂ，メディア情報管理部１６ｃ，ストリーム管理部１６ｄ，記録メディア部１６ｅを備え、Ｂｌｕ−ｒａｙ  Ｄｉｓｃ１７は、メディア制御部１７ａ，機構制御部１７ｂ，メディア情報管理部１７ｃ，ストリーム管理部１７ｄ，記録メディア部１７ｅを備えている。
【００３０】
図３において、ネットワークＩ／Ｆ部１１は、図示しないデジタルテレビジョン装置などの制御機器とＩＥＥＥ１３９４で接続するためのインタフェースである。ここで、ＡＶ機器１は、Ｄ−ＶＨＳを制御するためのＴａｐｅ  Ｓｕｂｕｎｉｔコントローラのみを持つデジタルテレビジョン装置（以下、Ｔａｐｅ制御機器という）と、Ｄ−ＶＨＳを制御するためのＴａｐｅ  Ｓｕｂｕｎｉｔコントローラ及び各種Ｄｉｓｃを制御するためのＤｉｓｃ  Ｓｕｂｕｎｉｔコントローラを持つデジタルテレビジョン装置（以下、Ｔａｐｅ／Ｄｉｓｃ制御機器という）のいずれかと接続される。メイン制御部１２は、ＡＶ機器１を構成する各部を制御するための制御部で、図示しないＣＰＵ及びメモリを備えている。
【００３１】
モード切換ＳＷ１４は、Ｄ−ＶＨＳモード（すなわち、擬似的にＤ−ＶＨＳに見せるためのダミーモード）、Ｄｉｓｃモードのいずれかのモードに切り換えるためのスイッチである。このモード切換ＳＷ１４の具体例としては、例えば、ディップスイッチなどでハード的に切り換えたり、ＡＶ機器１が備えるＧＵＩ（グラフィティカルユーザインタフェース）に切換画面を表示させて切り換えるといった方法を用いることができる。ＡＶ機器１がＴａｐｅ制御機器と接続される場合、モード切換ＳＷ１４はＤ−ＶＨＳモードに設定され、Ｔａｐｅ／Ｄｉｓｃ制御機器と接続される場合、モード切換ＳＷ１４はＤｉｓｃモードに設定される。この際、Ｔａｐｅ制御機器、Ｔａｐｅ／Ｄｉｓｃ制御機器の判定処理をＡＶ機器１が自動的に行って、モード切換ＳＷ１４の切り換えを行うようにしてもよい。例えば、接続された制御機器の識別情報を取得して、この識別情報から当該制御機器がＴａｐｅ  Ｓｕｂｕｎｉｔコントローラのみを持つ機器か、Ｔａｐｅ  Ｓｕｂｕｎｉｔコントローラ及びＤｉｓｃ  Ｓｕｂｕｎｉｔコントローラを持つ機器かを判定し、その判定結果に基づいて、モード切換ＳＷ１４を切り換える。
【００３２】
上述したモード切換ＳＷ１４によりＤ−ＶＨＳモードに設定されると、統合制御部１３は、ＩＥＥＥ１３９４Ｉ／Ｆを介してＤ−ＶＨＳ用のＴａｐｅ  Ｓｕｂｕｎｉｔコマンドを受け取り、受け取ったＴａｐｅ  Ｓｕｂｕｎｉｔコマンドにより内部の各Ｄｉｓｃメディア（本例ではＡＶ−ＨＤＤ，Ｂｌｕ−ｒａｙ  Ｄｉｓｃ）が制御されるように内部的に変換や処理の対応付けを行う。
【００３３】
この時、Ｄｉｓｃ  Ｓｕｂｕｎｉｔは複数あるのに対して、外部の制御機器からは１つのＴａｐｅ  Ｓｕｂｕｎｉｔとして制御されているため、どちらかのＤｉｓｃ  Ｓｕｂｕｎｉｔが優先的に制御される必要がある。この優先度は、例えば、開発時に設計者などが予め設定しても良いし、ユーザにメニュー操作で優先設定を行なわせても良いし、ＡＶ機器１が各Ｄｉｓｃメディアの残容量を判断して残容量の多いＤｉｓｃ  Ｓｕｂｕｎｉｔを自動的に選択するように構成しても良い。このように、コンテンツを録画する場合、例えば、片方のＤｉｓｃメディアに優先的に録画を行ない、当該Ｄｉｓｃメディアの空き容量が少ない場合はもう一方のＤｉｓｃメディアに録画するような実装を行なうことで、Ｄｉｓｃメディアの残容量不足による録画失敗を防止することができる。あるいは、どちらか一方のＤｉｓｃ  Ｓｕｂｕｎｉｔのみを選択してＴａｐｅ  Ｓｕｂｕｎｉｔと関連付け、もう一方のＤｉｓｃ  Ｓｕｂｕｎｉｔを外部から見せないようにすることも可能である。
【００３４】
また、統合制御部１３は、デジタルテレビジョン装置に対して、図２に示した使用機器リストを表示するように、情報を提示する。この際、制御機器及び被制御機器双方の間で何らかの手段によりコンテンツリストを表示する機能を有する場合において、複数のＤｉｓｃメディア内のコンテンツリストを統合して１つのリストに表示させてもよい。これにより、制御機器がサポート可能な記録メディア（Ｄ−ＶＨＳ）にコンテンツが連続して記録されているかのように扱うことが可能となる。
【００３５】
ストリーム統合制御部１５は、制御機器から入力されるストリームを制御して、ＡＶ−ＨＤＤ１６のストリーム管理部１６ｄあるいはＢｌｕ−ｒａｙ  Ｄｉｓｃ１７のストリーム管理部１７ｄに入力する。
【００３６】
ＡＶ−ＨＤＤ１６のストリーム管理部１６ｄは、ストリーム統合制御部１５から入力されたストリームを管理する。メディア制御部１６ａは、統合制御部１３からの指示に従ってＡＶ−ＨＤＤ１６全体を制御するための制御部で、機構制御部１６ｂは、ＡＶ−ＨＤＤ１６の機構部の動作を制御するための制御部である。また、メディア情報管理部１６ｃは、記録メディア部１６ｅ（本例ではＡＶ−ＨＤＤ）にコンテンツを記録する、あるいは再生するためのメディア情報を管理する。
【００３７】
同様に、Ｂｌｕ−ｒａｙ  Ｄｉｓｃ１７のストリーム管理部１７ｄは、ストリーム統合制御部１５から入力されたストリームを管理する。メディア制御部１７ａは、統合制御部１３からの指示に従ってＢｌｕ−ｒａｙ  Ｄｉｓｃ１７全体を制御するための制御部で、機構制御部１７ｂは、Ｂｌｕ−ｒａｙ  Ｄｉｓｃ１７の機構部の動作を制御するための制御部である。また、メディア情報管理部１７ｃは、記録メディア部１７ｅ（本例ではＢｌｕ−ｒａｙ  Ｄｉｓｃ）にコンテンツを記録する、あるいは再生するためのメディア情報を管理する。
【００３８】
各Ｄｉｓｃメディアに記録されている複数のコンテンツは、ユーザがリモコンの「順頭出し」あるいは「逆頭出し」ボタンを押すことにより順に選択される。この際、設定されたＤｉｓｃ  Ｓｕｂｕｎｉｔの優先順位に従ってコンテンツが選択され、いずれかのＤｉｓｃ  Ｓｕｂｕｎｉｔに記録されているコンテンツ総数の端まで進んでさらに「順頭出し」あるいは「逆頭出し」ボタン等が押されると、次のＤｉｓｃ  Ｓｕｂｕｎｉｔに記録されたコンテンツがシームレスに選択される。これらの操作は全てデジタルテレビジョン装置のリモコンを通じて行なわれるため、１つのリモコンでデジタルテレビジョン装置及びＡＶ機器を操作でき、操作をシンプル且つ容易にすることができる。
【００３９】
図４は、本発明が適用されるＡＶ機器１の制御方法の一例を説明するためのフロー図である。ここではＵｎｉｔ宛てのＧｅｎｅｒａｌコマンドについては説明を割愛する。まず、ＡＶ機器１は、制御機器（デジタルテレビジョン装置）からコマンドを受信し、ＡＶ機器１がＤ−ＶＨＳモード（ダミーモード）に設定されているかどうかを判断し（ステップＳ１）、Ｄ−ＶＨＳモードに設定されていない場合（ＮＯの場合）、どのＳｕｂｕｎｉｔ  Ｔｙｐｅへのコマンドかを判断し（ステップＳ２）、Ｄｉｓｃ以外のＳｕｂｕｎｉｔコマンドの場合（Ｄｉｓｃ以外のＳｕｂｕｎｉｔの場合）、ＮＯＴ＿ＩＭＰＬＥＭＥＮＴＥＤ（未実装）のレスポンスを返し処理を終了する（ステップＳ３）。また、上記ステップＳ２において、Ｄｉｓｃ  Ｓｕｂｕｎｉｔコマンドの場合（Ｄｉｓｃ  Ｓｕｂｕｎｉｔの場合）、コマンドに従ってＤｉｓｃ系（ＡＶ−ＨＤＤ，Ｂｌｕ−ｒａｙ  Ｄｉｓｃ）の通常処理を行う（ステップＳ４）。
【００４０】
次に、ＡＶ機器１は、上記ステップＳ１において、Ｄ−ＶＨＳモードに設定されていると判断した場合（ＹＥＳの場合）、どのＳｕｂｕｎｉｔ  Ｔｙｐｅへのコマンドかを判断し（ステップＳ５）、Ｔａｐｅ以外のＳｕｂｕｎｉｔコマンドの場合（Ｔａｐｅ以外のＳｕｂｕｎｉｔの場合）、ＮＯＴ＿ＩＭＰＬＥＭＥＮＴＥＤ（未実装）のレスポンスを返し処理を終了する（ステップＳ６）。また、上記ステップＳ５において、Ｔａｐｅ  Ｓｕｂｕｎｉｔコマンドの場合（Ｔａｐｅ  Ｓｕｂｕｎｉｔの場合）、そのＴａｐｅ  Ｓｕｂｕｎｉｔのコマンドがサポートされているかどうかを判断し（ステップＳ７）、そのコマンドがサポートされている場合（Ｓｕｐｐｏｒｔｅｄの場合）、正しいコマンドフォーマットかどうかを判断する（ステップＳ８）。また、上記ステップＳ７において、そのコマンドがサポートされていない場合（Ｎｏｔ  Ｓｕｐｐｏｒｔｅｄの場合）、ステップＳ６に移行する。
【００４１】
次に、ＡＶ機器１は、上記ステップＳ８において、正しいコマンドフォーマットであると判断した場合（ＹＥＳの場合）、そのコマンドのＯｐｅｒａｎｄがサポートされている値かどうかを判断する（ステップＳ９）。また、上記ステップＳ８において、コマンドフォーマットが正しくないと判断した場合（ＮＯの場合）、ステップＳ６に移行する。
【００４２】
次に、ＡＶ機器１は、上記ステップＳ９において、そのコマンドのＯｐｅｒａｎｄの値がサポートされていると判断した場合（Ｓｕｐｐｏｒｔｅｄの場合）、どの記録メディアが優先設定されているかどうかを判断する（ステップＳ１０）。また、上記ステップＳ９において、コマンドのＯｐｅｒａｎｄの値がサポートされていないと判断した場合（Ｎｏｔ  Ｓｕｐｐｏｒｔｅｄの場合）、ステップＳ６に移行する。
【００４３】
次に、ＡＶ機器１は、上記ステップＳ１０において、記録メディア（Ｍｅｄｉａ）Ａが優先設定されていると判断した場合（ＭｅｄｉａＡの場合）、現在ＭｅｄｉａＡが制御可能かどうかを判断し（ステップＳ１１）、ＭｅｄｉａＡが制御可能な場合（ＹＥＳの場合）、ＡＣＣＥＰＴＥＤレスポンスを返し（ステップＳ１２）、Ｔａｐｅ  ＳｕｂｕｎｉｔコマンドをＭｅｄｉａＡ用内部制御コマンドに変換し（ステップＳ１３）、ＭｅｄｉａＡでコマンドを実行する（ステップＳ１４）。
【００４４】
一方、上記ステップＳ１０において、記録メディア（Ｍｅｄｉａ）Ｂが優先設定されていると判断した場合（ＭｅｄｉａＢの場合）、あるいは、上記ステップＳ１１において、ＭｅｄｉａＡが制御できる状態にない場合（ＮＯの場合）、現在ＭｅｄｉａＢが制御可能かどうかを判断し（ステップＳ１５）、ＭｅｄｉａＢが制御可能な場合（ＹＥＳの場合）、ステップＳ１２に移行し、ＡＣＣＥＰＴＥＤレスポンスを返し、Ｔａｐｅ  ＳｕｂｕｎｉｔコマンドをＭｅｄｉａＢ用内部制御コマンドに変換し、ＭｅｄｉａＢでコマンドを実行する。
【００４５】
以下同様に、上記ステップＳ１０において、記録メディア（Ｍｅｄｉａ...）が優先設定されていると判断した場合（Ｍｅｄｉａ...の場合）、あるいは、上記ステップＳ１５において、ＭｅｄｉａＢが制御できる状態にない場合（ＮＯの場合）、現在Ｍｅｄｉａ...が制御可能かどうかを判断し（ステップＳ１６）、Ｍｅｄｉａ...が制御可能な場合（ＹＥＳの場合）、ステップＳ１２に移行し、ＡＣＣＥＰＴＥＤレスポンスを返し、Ｔａｐｅ  ＳｕｂｕｎｉｔコマンドをＭｅｄｉａ...用内部制御コマンドに変換し、Ｍｅｄｉａ...でコマンドを実行する。また、上記ステップＳ１６において、Ｍｅｄｉａ...が制御できる状態にない場合（ＮＯの場合）、ＲＥＪＥＣＴＥＤレスポンスを返し処理を終了する（ステップＳ１７）。
【図面の簡単な説明】
【００４６】
【図１】本発明の機能モジュールを複数実装したＡＶ機器の構成例を示す図である。
【図２】本発明のＡＶ機器と接続されたデジタルテレビジョン装置に表示される使用機器リストの一例を示す図である。
【図３】本発明の一実施形態に係るＡＶ機器の構成例を示すブロック図である。
【図４】本発明が適用されるＡＶ機器の制御方法の一例を説明するためのフロー図である。
【図５】従来の機能モジュールを複数実装したＡＶ機器の構成例を示す図である。
【図６】従来のＡＶ機器と接続されたデジタルテレビジョン装置に表示される使用機器リストを示す図である。
【符号の説明】
【００４７】
１，１００…ＡＶ機器、２，１０１，１０３…擬似機能モジュール、３，４，１０２，１０４…機能モジュール、１１…ネットワークＩ／Ｆ部、１２…メイン制御部、１３…統合制御部、１４…モード切換ＳＷ、１５…ストリーム統合制御部、１６…第１の駆動手段（ＡＶ−ＨＤＤ）、１６ａ，１７ａ…メディア制御部、１６ｂ，１７ｂ…機構制御部、１６ｃ，１７ｃ…メディア情報管理部、１６ｄ，１７ｄ…ストリーム管理部、１６ｅ，１７ｅ…記録メディア部、１７…第２の駆動手段（Ｂｌｕ−ｒａｙ  Ｄｉｓｃ）。
【図１】
2006108837.tif 000003
【図２】
2006108837.tif 000004
【図３】
2006108837.tif 000005
【図４】
2006108837.tif 000006
【図５】
2006108837.tif 000007
【図６】
2006108837.tif 000008